(57)【要約】    【課題】  撮像装置に適用したとき、撮像装置の厚みを薄くすることができ、しかも高ズーム比で全ズーム範囲にわたり高い光学性能が容易に得られるズームレンズを得ること。    【解決手段】  物体側から像面側へ順に配置された、ズーミングに際して不動の第１レンズ群、ズーミングに際して移動するレンズ群を有する中間群、負の屈折力のレンズ群Ｌｎ、ズーミングに際して不動の光学ブロックより構成され、ズーミングに際して隣り合うレンズ群の間隔が変化するズームレンズであって、第１レンズ群は光路を折り曲げる第１反射部材を有し、光学ブロックは光路を折り曲げる第２反射部材を有し、レンズ群Ｌｎの焦点距離ｆｎ、望遠端における全系の焦点距離ｆｔを各々適切に設定すること。【選択図】    図１
2019053154.tif 000002
【特許請求の範囲】
【請求項１】
物体側から像面側へ順に配置された、ズーミングに際して不動の第１レンズ群、ズーミングに際して移動するレンズ群を有する中間群、負の屈折力のレンズ群Ｌｎ、ズーミングに際して不動の光学ブロックより構成され、ズーミングに際して隣り合うレンズ群の間隔が変化するズームレンズであって、
前記第１レンズ群は第１反射部材を有し、前記光学ブロックは第２反射部材を有し、前記レンズ群Ｌｎの焦点距離をｆｎ、望遠端における全系の焦点距離をｆｔとするとき、
０．１＜｜ｆｎ｜／ｆｔ＜１．０
なる条件式を満足することを特徴とするズームレンズ。
【請求項２】
前記第２反射部材は全反射プリズムよりなり、前記全反射プリズムの材料のｄ線における屈折率をＮｄＰＲ２とするとき、
１．６＜ＮｄＰＲ２＜２．５
なる条件式を満足することを特徴とする請求項１に記載のズームレンズ。
【請求項３】
無限遠合焦時の望遠端における全系の射出瞳位置（物体側から像面側方向を正とする像面からの距離）をＬｅｐｔとするとき、
−１．６＜Ｌｅｐｔ／ｆｔ＜−０．２
なる条件式を満足することを特徴とする請求項１または２に記載のズームレンズ。
【請求項４】
レンズ全長をＯＴＬとするとき、
１．０＜ＯＴＬ／ｆｔ＜３．０
なる条件式を満足することを特徴とする請求項１乃至３のいずれか１項に記載のズームレンズ。
【請求項５】
無限遠合焦時の広角端におけるバックフォーカスをＳｋｗ、広角端における全系の焦点距離をｆｗとするとき、
０．５＜Ｓｋｗ／ｆｗ＜２．０
なる条件式を満足することを特徴とする請求項１乃至４のいずれか１項に記載のズームレンズ。
【請求項６】
前記第２反射部材の光路を展開したときの光軸方向の長さをｄＰＲ２、広角端における全系の焦点距離をｆｗとするとき、
０．５＜ｄＰＲ２／ｆｗ＜２．０
なる条件式を満足することを特徴とする請求項１乃至５のいずれか１項に記載のズームレンズ。
【請求項７】
前記第１反射部材は全反射プリズムよりなり、該全反射プリズムの材料のｄ線における屈折率をＮｄＰＲ１とするとき、
１．８０＜ＮｄＰＲ１＜２．５０
なる条件式を満足することを特徴とする請求項１乃至６のいずれか１項に記載のズームレンズ。
【請求項８】
広角端から望遠端へのズーミングに際して前記レンズ群Ｌｎは物体側へ移動することを特徴とする請求項１乃至７のいずれか１項に記載のズームレンズ。
【請求項９】
前記第１レンズ群は物体側から像面側へ順に配置された、物体側に比べて像側のレンズ面の曲率が大きい負レンズ、前記第１反射部材、正レンズを有していることを特徴とする請求項１乃至８のいずれか１項に記載のズームレンズ。
【請求項１０】
前記光学ブロックは屈折力を有しないことを特徴とする請求項１乃至９のいずれか１項に記載のズームレンズ。
【請求項１１】
前記第１レンズ群は正の屈折力よりなり、前記中間群は物体側から像側へ順に配置された、負の屈折力の第２レンズ群、正の屈折力の第３レンズ群、正の屈折力の第４レンズ群からなることを特徴とする請求項１乃至１０のいずれか１項に記載のズームレンズ。
【請求項１２】
前記第１レンズ群は正の屈折力よりなり、前記中間群は物体側から像側へ順に配置された、負の屈折力の第２レンズ群、正の屈折力の第３レンズ群からなることを特徴とする請求項１乃至１０のいずれか１項に記載のズームレンズ。
【請求項１３】
前記第１レンズ群は負の屈折力よりなり、前記中間群は物体側から像側へ順に配置された、正の屈折力の第２レンズ群、正の屈折力の第３レンズ群からなることを特徴とする請求項１乃至１０のいずれか１項に記載のズームレンズ。
【請求項１４】
前記第１レンズ群は負の屈折力よりなり、前記中間群は物体側から像側へ順に配置された、負の屈折力の第２レンズ群、正の屈折力の第３レンズ群からなることを特徴とする請求項１乃至１０のいずれか１項に記載のズームレンズ。
【請求項１５】
前記第２反射部材は入射光束を物体側へ反射することを特徴とする請求項１乃至１４のいずれか１項に記載のズームレンズ。
【請求項１６】
請求項１乃至１５のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えばビデオカメラ、デジタルスチルカメラ、監視用カメラ、放送用カメラ、スマートフォン、タブレット、ウェアラブル機器等に好適なものである。
【背景技術】
【０００２】
近年、撮像装置に用いられる撮像光学系には、高ズーム比で全体が小型であり、撮像装置（カメラ）に用いたとき、その厚み（前後方向の厚み）を薄くできるズームレンズであることが求められている。撮像装置の厚みを薄くするために、撮影光学系の光軸（光路）を９０°折り曲げる反射部材、例えば内面反射を利用したプリズム部材を光路中に配置した所謂屈曲式のズームレンズが知られている（特許文献１、２）。
【０００３】
特許文献１では物体側より像側へ順に、正、負、正、正、負の屈折力の第１レンズ群乃至第５レンズ群より構成される５群ズームレンズにおいて、第１レンズ群中に光路折り曲げ用の反射部材を配置したズームレンズを開示している。
【０００４】
特許文献２では物体側から像側へ順に、負、正、正の屈折力の第１レンズ群乃至第３レンズ群より構成される３群ズームレンズにおいて第１レンズ群中に光路折り曲げ用の第１の偏向光学素子を配置している。更に第３レンズ群の像側に光路を折り曲げる第２の偏向光学素子を配置している。特許文献１、２はいずれも光路折り曲げ用の反射部材を用いて撮像装置に用いたとき、その厚さを薄くしている。
【先行技術文献】
【特許文献】
【０００５】
【特許文献１】特開２０１１−２３７８３２号公報
【特許文献２】特開２０１２−９３７１７号公報
【発明の概要】
【発明が解決しようとする課題】
【０００６】
一般に、レンズ群中やレンズ群の間に光路折り曲げ用の反射部材を有するズームレンズでは、撮像装置に適用したとき、その厚み方向と、それに直交する方向にレンズ群を配置することで撮像装置の薄型化を達成することが容易となる。反射部材を用いて撮像装置に適用したとき撮像装置の厚さ方向を薄くし、かつズームレンズ全系の小型化を図りつつ、高ズーム比で全ズーム範囲にわたり高い光学性能を得るためにはズームレンズのレンズ構成を適切に設定することが重要になってくる。
【０００７】
特に、ウェアラブルデバイスへ搭載する撮像装置に用いるズームレンズは、レンズユニットの体積を削減しつつ薄型化を図ることが重要になってくる。光路折り曲げ用の反射部材を２つ用いてレンズユニットの薄型化を実現するためには、第１反射部材のサイズを小型化するとともに、第２反射部材の小型化を図ることが重要になってくる。
【０００８】
例えば特許文献２では、像面の物体側に第２の反射部材を配し、電子撮像素子パッケージの配置位相を９０度偏向することで撮像装置の薄型化を図っている。そして、第２の反射部材の物体側に正の屈折力のレンズ群を配し、望遠端において射出瞳が長いレンズ構成としている。また、特許文献２では、撮像装置の薄型化のために第２の反射部材は像面近傍に配置している。ここで、第２の反射部材は軸外光束をケラレなく像面側へ反射するのに充分なサイズが必要となる。つまり、射出瞳が長い配置においては最軸外主光線の像面への入射角が小さいため、第２の反射部材の小型化が難しくなる傾向があった。
【０００９】
本発明は、撮像装置に適用したとき、撮像装置の厚みを薄くすることができ、しかも高ズーム比で全ズーム範囲にわたり高い光学性能が容易に得られるズームレンズ及びそれを用いた撮像装置の提供を目的とする。
【課題を解決するための手段】
【００１０】
本発明のズームレンズは、物体側から像面側へ順に配置された、ズーミングに際して不動の第１レンズ群、ズーミングに際して移動するレンズ群を有する中間群、負の屈折力のレンズ群Ｌｎ、ズーミングに際して不動の光学ブロックより構成され、ズーミングに際して隣り合うレンズ群の間隔が変化するズームレンズであって、
前記第１レンズ群は第１反射部材を有し、前記光学ブロックは第２反射部材を有し、前記レンズ群Ｌｎの焦点距離をｆｎ、望遠端における全系の焦点距離をｆｔとするとき、
０．１＜｜ｆｎ｜／ｆｔ＜１．０
なる条件式を満足することを特徴としている。
【発明の効果】
【００１１】
本発明によれば、撮像装置に適用したとき、撮像装置の厚みを薄くすることができ、しかも高ズーム比で全ズーム範囲にわたり高い光学性能が容易に得られるズームレンズが得られる。
【図面の簡単な説明】
【００１２】
【図１】実施例１の光路を展開したときの広角端におけるレンズ断面図
【図２】（Ａ）、（Ｂ）、（Ｃ）  実施例１の無限遠物体に合焦しているときの広角端、中間のズーム位置、望遠端における縦収差図
【図３】実施例２の光路を展開したときの広角端におけるレンズ断面図
【図４】（Ａ）、（Ｂ）、（Ｃ）  実施例２の無限遠物体に合焦しているときの広角端、中間のズーム位置、望遠端における縦収差図
【図５】実施例３の光路を展開したときの広角端におけるレンズ断面図
【図６】（Ａ）、（Ｂ）、（Ｃ）  実施例３の無限遠物体に合焦しているときの広角端、中間のズーム位置、望遠端における縦収差図
【図７】実施例４の光路を展開したときの広角端におけるレンズ断面図
【図８】（Ａ）、（Ｂ）、（Ｃ）  実施例４の無限遠物体に合焦しているときの広角端、中間のズーム位置、望遠端における縦収差図
【図９】実施例５の光路を展開したときの広角端におけるレンズ断面図
【図１０】（Ａ）、（Ｂ）、（Ｃ）  実施例５の無限遠物体に合焦しているときの広角端、中間のズーム位置、望遠端における縦収差図
【図１１】実施例１の望遠端におけるレンズ断面図
【発明を実施するための形態】
【００１３】
以下に、本発明の好ましい実施の形態を、添付の図面に基づいて説明する。本発明のズームレンズは、物体側から像面側へ順に配置された、ズーミングに際して不動の第１レンズ群、ズーミングに際して移動するレンズ群を有する中間群、負の屈折力のレンズ群Ｌｎ、ズーミングに際して不動の光学ブロックより構成されている。そしてズーミングに際して隣り合うレンズ群の間隔が変化する。第１レンズ群は光路を折り曲げる第１反射部材を有し、光学ブロックは光路を折り曲げる第２反射部材を有している。
【００１４】
図１は本発明の実施例１のズームレンズの光路を展開したときの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比２．８３、Ｆナンバー４．２２〜５．２９のズームレンズである。
【００１５】
図３は本発明の実施例２のズームレンズの光路を展開したときの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比４．７２、Ｆナンバー３．６０〜６．５０のズームレンズである。
【００１６】
図５は本発明の実施例３のズームレンズの光路を展開したときの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比２．８９、Ｆナンバー２．８８〜４．７８のズームレンズである。
【００１７】
図７は本発明の実施例４のズームレンズの光路を展開したときの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比３．４３、Ｆナンバー２．６５〜４．９４のズームレンズである。
【００１８】
図９は本発明の実施例５のズームレンズの光路を展開したときの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比２．８９、Ｆナンバー３．５２〜６．４０のズームレンズである。
【００１９】
各実施例のレンズ断面図ではプリズム内に設けた反射面を有する反射部材（プリズム部材）で光路を折り曲げているが各レンズ断面図では便宜上光路を展開した状態で示している。図１１は実施例１のズームレンズの望遠端において反射部材で光路を折り曲げた状態のレンズ断面図である。
【００２０】
各実施例のズームレンズはビデオカメラやデジタルカメラ等の撮像装置に用いられる撮像光学系である。レンズ断面図において、左方が被写体側（物体側）（前方）で、右方が像側（後方）である。レンズ断面図において、Ｌ０はズームレンズである。ｉは物体側からのレンズ群の順番を示し、Ｌｉは第ｉレンズ群である。ＬＭはズーミングに際して移動するレンズ群を有する中間群である。Ｌｎは負の屈折力のレンズ群である。ＬＲはズーミングに際して不動の屈折力を有しない光学ブロックである。
【００２１】
ＳＰはＦナンバー光束を制限する開口絞りである。ＰＲ１は光路（光軸）を折り曲げる反射面を有する第１反射部材であり、プリズムよりなっている。ＰＲ２は光路を折り曲げる反射面を有する第２反射部材であり、プリズムよりなっている。第１反射部材ＰＲ１と第２反射部材ＰＲ２は各々光路を９０度又は９０度前後（９０°±１０°以内）折り曲げている。Ｇは光学フィルター、フェースプレート、水晶ローパスフィルター、赤外カットフィルター等に相当する光学ブロックである。
【００２２】
ＩＰは像面であり、ビデオカメラやデジタルスチルカメラの撮像光学系として使用する際には撮像光学系で形成された像を受光するＣＣＤセンサやＣＭＯＳセンサ等の固体撮像素子（光電変換素子）の撮像面に相当する。矢印は広角端から望遠端へのズーミングにおける各レンズ群と開口絞りＳＰの移動軌跡を示している。レンズ断面図においてｙは撮像素子の短辺方向、ｘは撮像素子の長辺方向、ｚは光軸方向である。
【００２３】
収差図のうち、球面収差図において、ｄはｄ線（波長５８７．６ｎｍ）、ｇはｇ線（波長４３５．８ｎｍ）である。非点収差図においてΔＭはｄ線のメリディオナル像面、ΔＳはｄ線のサジタル像面である。倍率色収差のｇはｇ線である。ωは半画角（撮影画角の半分の値）（度）、ＦｎｏはＦナンバーである。尚、以下の各実施例において広角端と望遠端は変倍用レンズ群が機構上光軸上を移動可能な範囲の両端に位置したときのズーム位置をいう。
【００２４】
本発明のズームレンズは、物体側から像面側へ順に配置された、ズーミングに際して不動の第１レンズ群Ｌ１、ズーミングに際して移動するレンズ群を含む中間群ＬＭ、負の屈折力のレンズ群Ｌｎ、ズーミングに際して不動の光学ブロックＬＲにて構成している。
【００２５】
ここで、第１レンズ群Ｌ１は光路を折り曲げる第１反射部材ＰＲを有している。光学ブロックＬＲは光路を折り曲げる第２反射部材ＰＲ２を有している。第１反射部材ＰＲ１と第２反射部材ＰＲ２は各々全反射プリズムよりなる。図１、図３、図５、図７、図９のレンズ断面図は全反射プリズムを展開した状態、反射面は図示していない。第１反射部材ＰＲ１と第２反射部材ＰＲ２で光路を２回折り曲げている。
【００２６】
ここで、電子撮像素子の有効画素撮領域（像面）は一般に４：３、１６：９といったアスペクト比の矩形形状のため、像面の短辺方向に光軸上の光路を屈曲する配置とすることで全反射プリズムを小型化し、撮像装置を薄型化している。さらに、光学ブロックＬＲの物体側に負の屈折力のレンズ群Ｌｎを配置している。これにより、ズームレンズ全系の射出瞳を短い構成として光学ブロックＬＲが有するプリズムを小型化し撮像装置の薄型化を実現している。
【００２７】
これとともに、レンズ群Ｌｎはズームレンズ中で拡大配置をとり、光学全長の短縮化を図っている。また、広角端から望遠端へのズーミングに際し、第１レンズ群Ｌ１と光学ブロックＬＲを像面に対して不動とすることで可動群を少なくし、鏡筒構造を簡略化している。これにより、レンズユニットを小型化するとともに、密閉構造により外乱に対して強固な撮像装置を実現している。
【００２８】
本発明のズームレンズは、レンズ群Ｌｎの焦点距離をｆｎ、望遠端における全系の焦点距離をｆｔとする。このとき、
０．１＜｜ｆｎ｜／ｆｔ＜１．０    …（１）
なる条件式を満足する。
【００２９】
次に条件式の技術的意味について説明する。条件式（１）は、光学ブロックＬＲの物体側に配置した負の屈折力のレンズ群Ｌｎの焦点距離を規定している。開口絞りＳＰの像側に負の屈折力のレンズ群を配置すると、射出瞳位置をより短く（像面に近い位置に）配置することができる。
【００３０】
条件式（１）を満足するようにレンズ群Ｌｎを配置することで、全系の射出瞳位置を最適化している。このとき、最軸外主光線の像面への入射角がより大きくなる配置とすることで、像面近傍に配置した全反射面の位置における軸外主光線への入射高さを低く抑え、第２反射部材ＰＲ２を構成する全反射プリズムを小型化している。また、レンズ群Ｌｎは拡大系として作用する。このため、全系の焦点距離を一定とした場合、レンズ群Ｌｎより物体側に配置したレンズ群の合成屈折力をより強める配置をとることにより、レンズ全長を短縮している。
【００３１】
条件式（１）の下限を超えると、レンズ群Ｌｎの焦点距離が短くなりすぎる。このとき、全系のバックフォーカスが短くなりすぎ、第２反射部材ＰＲ２の配置が困難となる。また、射出瞳位置が短くなりすぎることで軸外光線の像面への入射角が大きくなりすぎ、電子撮像素子のシェーディング特性が低下してくる。
【００３２】
一方、上限を超えると、レンズ群Ｌｎの焦点距離が長くなりすぎ、射出瞳位置が長くなりすぎることで、第２反射部材ＰＲ２の全反射面の位置における軸外主光線の入射高さを低く抑えることが困難となり、第２反射部材ＰＲ２が大型化してしまうのでよくない。
【００３３】
本発明の光学系では、前述の構成とともに条件式（１）を満足することにより、光学性能が良好であるとともに、撮像装置を薄型化可能なズームレンズを実現している。
【００３４】
本発明において、より好ましくは条件式（１）の数値範囲を以下の範囲とするのがよい。
０．２０＜｜ｆｎ｜／ｆｔ＜０．９５    …（１ａ）
【００３５】
本発明において、さらに好ましくは条件式（１ａ）の数値範囲を以下の範囲とするのがよい。
０．３＜｜ｆｎ｜／ｆｔ＜０．９        …（１ｂ）
【００３６】
次に各実施例をもとに、本発明のより好ましい構成について説明する。第２反射部材ＰＲ２は全反射プリズムよりなり、全反射プリズムの材料のｄ線における屈折率をＮｄＰＲ２とする。
【００３７】
無限遠合焦時の望遠端における全系の射出瞳位置（物体側から像面側方向を正とする像面からの距離）をＬｅｐｔとする。レンズ全長をＯＴＬとする。無限遠合焦時の広角端におけるバックフォーカスをＳｋｗ、広角端における全系の焦点距離をｆｗとする。第２反射部材ＰＲ２の光路を展開したときの光軸方向の長さをｄＰＲ２とする。第１反射部材ＰＲ１は全反射プリズムよりなり、全反射プリズムの材料のｄ線における屈折率をＮｄＰＲ１とする。
【００３８】
このとき、次の条件式のうち１つ以上を満足するのが良い。
１．６＜ＮｄＰＲ２＜２．５          …（２）
−１．６＜Ｌｅｐｔ／ｆｔ＜−０．２  …（３）
１．０＜ＯＴＬ／ｆｔ＜３．０        …（４）
０．５＜Ｓｋｗ／ｆｗ＜２．０        …（５）
０．５＜ｄＰＲ２／ｆｗ＜２．０      …（６）
１．８０＜ＮｄＰＲ１＜２．５０      …（７）
【００３９】
次に前述の各条件式の技術的意味について説明する。条件式（２）は光学ブロックＬＲに配置される第２反射部材ＰＲ２を構成する全反射プリズムの材料の屈折率を規定する。条件式（２）の下限を超えると、全反射プリズムの材料の屈折率が低くなりすぎ、空気換算長が大きくなる。つまり、全系として長いバックフォーカスを確保することが必要となる。
【００４０】
ここで、全反射プリズムの小型化のため条件式（１）を満足し、レンズ群Ｌｎの負の屈折力を強めて射出瞳位置を最適化することと、長いバックフォーカスを確保することは相反関係となる。ゆえに、条件式（１）を満足することが困難となり、全反射プリズムが大型化することで撮像装置の厚みが増大してしまう。
【００４１】
一方、上限を超えると、全反射プリズムの材料の屈折率が高くなりすぎる。条件式（２）の上限を超える屈折率を有する光学材料は短波長側の透過率が極端に低い傾向にあり、撮像装置としてのカラーバランスを良好に維持するのが困難になる。
【００４２】
条件式（３）は無限遠合焦時で望遠端における全系の射出瞳位置を規定する。ここで、射出瞳位置は像面からの距離と定義し、物体側から像面側への方向を正としている。条件式（３）の下限を超えると、射出瞳位置が像面に近づきすぎ軸外光線の像面への入射角が大きくなりすぎることで、撮像素子のシェーディング特性が低下してしまう。一方、上限を超えると、射出瞳位置が像面から離れすぎることで、全反射面の位置における軸外主光線の入射高さを低く抑えることが困難となり、全反射プリズムが大型化してしまうのでよくない。
【００４３】
条件式（４）はレンズ全長を規定する。ここでレンズ全長は第１レンズ面から最終レンズ面までの距離に空気換算でのバックフォーカスの値を加えた値である。バックフォーカスＢＦは最終レンズ面から像面までの空気換算での距離である。条件式（４）の下限を超えると、レンズ全長が短くなりすぎ、中間群ＬＭのレンズ群の移動量が小さくなりすぎ、高ズーム比化が困難となる。若しくは、高ズーム比化のために各レンズ群の屈折力が強まりすぎることで、ズーミングに伴う収差変動の補正が困難となる。
【００４４】
一方、上限を超えると、レンズ全長が長くなりすぎる。このとき、撮像装置の厚み方向を薄型化しても、撮像装置の幅や長さ方向が増大してレンズユニット体積の小型化が困難となる。
【００４５】
条件式（５）は無限遠合焦時の広角端におけるバックフォーカスを規定する。条件式（５）の下限を超えると、広角端におけるバックフォーカスが短くなりすぎ、像面近傍に全反射プリズムの配置が困難となる。一方、上限を超えると、バックフォーカスが長くなりすぎる。このとき、条件式（１）を満足した射出瞳位置の最適化が困難となり、像面近傍に配置した全反射プリズムが大型化してしまうのでよくない。
【００４６】
条件式（６）は光学ブロックＬＲに配置される第２反射部材ＰＲ２の光軸方向の長さを規定する。条件式（６）の下限を超えると、第２反射部材ＰＲ２の長さが短くなりすぎ、軸外光束を像面側へ反射するための第２反射部材ＰＲ２の長さを確保するのが困難になる。一方、上限を超えると、第２反射部材ＰＲ２の長さが長くなりすぎ、第２反射部材ＰＲ２が大型化することで撮像装置の厚みが増大してしまうのでよくない。
【００４７】
条件式（７）は第１レンズ群Ｌ１に配置される第１反射部材ＰＲ１を構成する全反射プリズムの材料の屈折率を規定する。条件式（７）の下限を超えると、全反射プリズムの材料の屈折率が小さくなりすぎる。このとき、空気換算長が長くなることで第１反射部材ＰＲ１の入射面の開口絞りＳＰからの距離が増大し、全反射プリズムサイズが大型化することで撮像装置の厚みが増大してしまう。
【００４８】
一方、上限を超えると、全反射プリズムへの材料の屈折率が高くなりすぎる。条件式（７）の上限を超える屈折率を有する光学材料は短波長側の透過率が極端に低い傾向にあり、撮像装置としてのカラーバランスを良好に維持するのが困難になる。
【００４９】
より好ましくは条件式（２）乃至（７）の数値範囲を以下の範囲とするのがよい。
１．６＜ＮｄＰＲ２＜２．４            …（２ａ）
−１．５＜Ｌｅｐｔ／ｆｔ＜−０．４    …（３ａ）
１．２＜ＯＴＬ／ｆｔ＜２．８          …（４ａ）
０．６＜Ｓｋｗ／ｆｗ＜１．８          …（５ａ）
０．６＜ｄＰＲ２／ｆｗ＜１．８        …（６ａ）
１．８３＜ＮｄＰＲ１＜２．４０        …（７ａ）
【００５０】
更に好ましくは条件式（２ａ）乃至（７ａ）の数値範囲を以下の範囲とするのがよい。
１．６＜ＮｄＰＲ２＜２．３            …（２ｂ）
−１．４＜Ｌｅｐｔ／ｆｔ＜−０．６    …（３ｂ）
１．５＜ＯＴＬ／ｆｔ＜２．６          …（４ｂ）
０．７＜Ｓｋｗ／ｆｗ＜１．６          …（５ｂ）
０．７＜ｄＰＲ２／ｆｗ＜１．５        …（６ｂ）
１．８５＜ＮｄＰＲ１＜２．３０        …（７ｂ）
【００５１】
また、各実施例において、負の屈折力のレンズ群Ｌｎは広角端から望遠端へのズーミングに際して物体側へ移動する構成としている。ズーミングに際して収斂光束中に配置した負の屈折力のレンズ群Ｌｎを物体側へ移動することで増倍配置として変倍を分担するとともに、中間のズーム位置における収差変動を良好に補正している。また、射出瞳が長くなる望遠端でレンズ群Ｌｎをより物体側へ配置することで、負の屈折力のレンズ群Ｌｎのレンズ外径を小型化している。とくに、負の屈折力のレンズ群Ｌｎをフォーカスレンズ群として用いる場合、フォーカスレンズ群を軽量化することが容易となる。
【００５２】
また、各実施例において、第１レンズ群Ｌ１は物体側から像面側へ順に、物体側に比べて像側のレンズ面の曲率（絶対値）が大きい負レンズ、全反射プリズムよりなる第１反射部材ＰＲ１、少なくとも１つの正レンズを有する構成としている。この構成により、第１レンズ群Ｌ１の主点位置をより物体側に配置することで前玉有効径を小型化し、第１反射部材ＰＲ１の小型化を容易にしている。
【００５３】
また、各実施例において、光学ブロックＬＲに配置した全反射プリズムよりなる第２反射部材ＰＲ２の像側には屈折力を有しない素子（各種光学フィルタやカバーガラスなど）のみを配置する構成としている。２回の光路折り曲げ構成のズームレンズにおいて、光学ブロックＬＲに配置した第２反射部材ＰＲ２の像側に屈折力を有する光学素子を配置すると、光学素子の厚みにより撮像装置の厚みが増大してしまう。このため、第２反射部材ＰＲ２の像側は必要最小限の平行平板のみで構成している。
【００５４】
［実施例１］
以下、図１を参照して、本発明の実施例１のズームレンズについて説明する。実施例１は物体側から像面側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、光学ブロックＬＲよりなる。ズーミングに際して、第１レンズ群Ｌ１と光学ブロックＬＲは不動である。
【００５５】
第１レンズ群Ｌ１と光学ブロックＬＲには各々反射部材として全反射プリズムを配置している。また、第２レンズ群Ｌ２乃至第４レンズ群Ｌ４にて、中間群ＬＭを構成している。また、第５レンズ群Ｌ５は、負の屈折力のレンズ群Ｌｎを構成している。
【００５６】
また、広角端から望遠端へのズーミングに際し、第２レンズ群Ｌ２と第３レンズ群Ｌ３とは各々像側へ独立に（異なった軌跡で）に移動している。また、第４レンズ群Ｌ４と第５レンズ群Ｌ５は各々物体側へ独立に移動している。これにより、各レンズ群間で変倍を分担しつつ、ズーム全域での収差変動を軽減し、ズーム全域で良好な光学性能を得ている。特に、開口絞りＳＰを有する第３レンズ群Ｌ３の配置を広角端において望遠端よりも物体側に位置するようにして、前玉有効径の小型化を図っている。
【００５７】
また、第５レンズ群Ｌ５を広角端から望遠端へのズーミングに際して、物体側へ移動し、増倍配置とすることにより全系での高ズーム比化とレンズ全長の短縮化を図っている。
【００５８】
ここで、第１レンズ群Ｌ１は、物体側に比べ像側のレンズ面の曲率（曲率半径の逆数）が強い負レンズ、第１反射部材ＰＲ１、両凸形状の正の非球面レンズにて構成している。また、第２レンズ群Ｌ２は、物体側に比べ像側のレンズ面の曲率が強い負レンズ、両凹形状の負レンズ、像側に比べて物体側のレンズ面の曲率が強い正レンズにて構成している。
【００５９】
また、第３レンズ群Ｌ３は、１枚の両凸形状の正の非球面レンズで構成している。また、第４レンズ群Ｌ４は、両凸形状の正レンズと、像側に凸面を向けたメニスカス形状の負レンズとを接合した接合レンズにて構成している。また、第５レンズ群Ｌ５は、像側に凸面を向けたメニスカス形状の正の非球面レンズ、両凹形状の負レンズ、像側に凸面を向けたメニスカス形状の負レンズにて構成している。
【００６０】
［実施例２］
以下、図３を参照して、本発明の実施例２のズームレンズについて説明する。実施例２のズームレンズは、レンズ群の数、各レンズ群の屈折力の符号、ズーミングに際しての各レンズ群の移動条件等の基本構成は実施例１と同じである。実施例２は実施例１と比較して、各レンズ群の屈折力配置とレンズ群内のレンズ形状を変更し、高ズーム比化したことが異なる。ここで、第１レンズ群Ｌ１と第２レンズ群Ｌ２のレンズ構成は、実施例１と同じである。
【００６１】
第３レンズ群Ｌ３は、像側に比べ物体側のレンズ面の曲率が強い１枚の正の非球面レンズで構成している。また、第４レンズ群Ｌ４は、両凸形状の正の非球面レンズ、両凸形状の正レンズと像側に凸面を向けたメニスカス形状の負レンズを接合した接合レンズにて構成している。また、第５レンズ群Ｌ５は、像側に凸面を向けたメニスカス形状の正レンズと両凹形状の負の非球面レンズを接合した接合レンズにて構成している。
【００６２】
［実施例３］
以下、図５を参照して、本発明の実施例３のズームレンズについて説明する。実施例３は物体側から像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、光学ブロックＬＲよりなる。ズーミングに際して第１レンズ群Ｌ１と光学ブロックＬＲは不動である。第１レンズ群Ｌ１と光学ブロックＬＲには各々反射部材として全反射プリズムを配置している。
【００６３】
また、第２レンズ群Ｌ２と第３レンズ群Ｌ３にて、中間群ＬＭを構成している。また、第４レンズ群Ｌ４は、負の屈折力のレンズ群Ｌｎを構成している。実施例３では、ズーミングに際して移動レンズ群を少なくして、メカ構成の簡略化を図っている。また、広角端から望遠端へのズーミングに際し、第２レンズ群Ｌ２は像側に移動している。また、第３レンズ群Ｌ３と第４レンズ群Ｌ４は各々物体側に移動している。
【００６４】
ここで、第１レンズ群Ｌ１は、物体側に比べて像側のレンズ面の曲率が強い負レンズ、第１反射部材ＰＲ１、両凸形状の正の非球面レンズにて構成している。また、第２レンズ群Ｌ２は、物体側に凸面を向けたメニスカス形状の正レンズと両凹形状の負の非球面レンズとを接合した接合レンズにて構成している。また、第３レンズ群Ｌ３は、両凸形状の正の非球面レンズ、両凸形状の正レンズと像側に凸面を向けたメニスカス形状の負レンズを接合した接合レンズにて構成している。また、第４レンズ群Ｌ４は、物体側に比べて像側のレンズ面の曲率が強い負の非球面レンズにて構成している。
【００６５】
［実施例４］
以下、図７を参照して、本発明の実施例４のズームレンズについて説明する。実施例４は物体側から像側へ順に配置された、負の屈折力の第１レンズ群Ｌ１、正の屈折力の第２レンズ群Ｌ２、正の屈折力の第３レンズ群Ｌ３、負の屈折力の第４レンズ群Ｌ４、光学ブロックＬＲよりなる。
【００６６】
ズーミングに際して、第１レンズ群Ｌ１と光学ブロックＬＲは不動である。第１レンズ群Ｌ１と光学ブロックＬＲには各々反射部材として、全反射プリズムを配置している。また、第２レンズ群Ｌ２と第３レンズ群Ｌ３にて、中間群ＬＭを構成している。また、第４レンズ群Ｌ４は、負の屈折力のレンズ群Ｌｎを構成している。実施例４では、負の屈折力のレンズ群が先行するレンズタイプにて撮像装置の薄型化を図っている。また、広角端から望遠端へのズーミングに際し、第２レンズ群Ｌ２乃至第４レンズ群Ｌ４は各々物体側に移動している。
【００６７】
ここで第１レンズ群Ｌ１は物体側に比べて像側のレンズ面の曲率が強い負の非球面レンズ、第１反射部材ＰＲ１、像側に比べて物体側のレンズ面の曲率が強い負レンズと物体側に比べて像側のレンズ面の曲率が強い正レンズを接合した接合レンズにて構成している。
【００６８】
また、第２レンズ群Ｌ２は、両凸形状の正の非球面レンズ、物体側に凸面を向けたメニスカス形状の負レンズにて構成している。また、第３レンズ群Ｌ３は、両凸形状の正レンズと像側に凸面を向けたメニスカス形状の負の非球面レンズを接合した接合レンズにて構成している。また、第４レンズ群Ｌ４は、物体側に比べて像側のレンズ面の曲率が強い負の非球面レンズにて構成している。
【００６９】
［実施例５］
以下、図９を参照して、本発明の実施例５のズームレンズについて説明する。実施例５は物体側から像面側へ順に配置された、負の屈折力の第１レンズ群Ｌ１、負の屈折力の第２レンズ群Ｌ２、正の屈折力の第３レンズ群Ｌ３、負の屈折力の第４レンズ群Ｌ４、光学ブロックＬＲよりなる。ズーミングに際して、第１レンズ群Ｌ１と光学ブロックＬＲは不動である。
【００７０】
第１レンズ群Ｌ１と光学ブロックＬＲに各々反射部材として全反射プリズムを配置している。また、第２レンズ群Ｌ２と第３レンズ群Ｌ３にて、中間群ＬＭを構成している。また、第４レンズ群Ｌ４は、負の屈折力のレンズ群Ｌｎを構成している。実施例５は、実施例４と同様に負の屈折力のレンズ群が先行するレンズタイプである。また、広角端から望遠端へのズーミングに際し、第２レンズ群Ｌ２は像面側に凸状の軌跡で移動している。また、第３レンズ群Ｌ３、第４レンズ群Ｌ４は各々物体側に移動している。
【００７１】
ここで、第１レンズ群Ｌ１は、物体側に比べて像側のレンズ面の曲率が強い負の非球面レンズ、第１反射部材ＰＲ１、像側に比べて物体側のレンズ面の曲率が強い正の非球面レンズにて構成している。また、第２レンズ群Ｌ２は、両凸形状の正レンズ、両凹形状の負の非球面レンズにて構成している。第３レンズ群Ｌ３は、像側に比べて物体側のレンズ面の曲率が強い正の非球面レンズ、両凸形状の正レンズと像側に凸面を向けたメニスカス形状の負レンズを接合した接合レンズにて構成している。また、第４レンズ群Ｌ４は、像側に凸面を向けたメニスカス形状の負の非球面レンズにて構成している。
【００７２】
ここで、各実施例において、無限遠から近距離への合焦動作（フォーカシング）に関しては、レンズ群Ｌｎを像面側へ移動する、リアフォーカス方式を採用している。これにより全系の小型化を図っている。また、像ぶれの補正に際しては、各レンズ群の少なくとも一部を光軸に対して垂直方向の成分を含む方向に移動する構成、又は撮像素子を移動する構成など、各種公知の手法を適用してもよい。また、歪曲収差については、各種公知の電子的な手法を適用し電子的に補正しても良い。
【００７３】
図１１は図１の実施例１のズームレンズの広角端において光路を第１反射部材ＰＲ１と第２反射部材ＰＲ２で各々９０度折り曲げた状態を示し、各部材に付した符番やズーミングに際しての移動等は図１と同じである。第１反射部材ＰＲ１は入射光束を９０度反射させ、第２反射部材ＰＲ２は入射光束を物体側へ反射させている。
【００７４】
本発明のズームレンズを有する撮像装置では、撮像素子の有効範囲は一般的に４：３又は１６：９等の長方形状をしている。長辺方向と短辺方行の有効部は異なる為、本発明のズームレンズは有効部が小さくなる短辺方向に光路を折り曲げて第１反射部材ＰＲ１と第２反射部材ＰＲ２を小型化している。
【００７５】
次に、本発明の実施例１乃至５に各々対応する数値データ１乃至５を示す。各数値データにおいてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００７６】
また、ｋを離心率、Ａ４、Ａ６、Ａ８、Ａ１０を非球面係数、光軸からの高さｈの位置での光軸方向の変位を面頂点を基準にしてｘとするとき、非球面形状は、
ｘ＝（ｈ2／Ｒ）／［１＋［１−（１＋ｋ）（ｈ／Ｒ）2］1/2］＋Ａ４ｈ4＋Ａ６ｈ6＋
Ａ８ｈ8＋Ａ１０ｈ10
で表示される。但しＲは近軸曲率半径である。また、例えば「ｅ−Ｚ」の表示は「１０-Z」を意味する。
【００７７】
数値データ１において面番号３、４は第１反射部材ＰＲ１、面番号２５、２６は第２反射部材ＰＲ２に相当している。数値データ２において面番号３、４は第１反射部材ＰＲ１、面番号２２、２３は第２反射部材ＰＲ２に相当している。数値データ３において面番号３、４は第１反射部材ＰＲ１、面番号１７、１８は第２反射部材ＰＲ２に相当している。数値データ４において面番号３、４は第１反射部材ＰＲ１、面番号１８、１９は第２反射部材ＰＲ２に相当している。数値データ５において面番号３、４は第１反射部材ＰＲ１、面番号１８、１９は第２反射部材ＰＲ２に相当している。
【００７８】
数値データ１乃至５において最後の２つの面は、フィルター、フェースプレート等の光学ブロックの面である。各数値データにおいて、バックフォーカス（ＢＦ）は最終レンズ面から近軸像面までの距離を空気換算長により表したものである。レンズ全長は最も物体側のレンズ面から最終レンズ面までの距離に空気換算長のバックフォーカスを加えたものである。また、各数値データにおける上述した各条件式との対応を表１に示す。  
【００７９】
（数値データ１）
単位 mm
面データ
面番号       r        d      nd         νd       有効径
1        382.010    0.30   1.95906    17.5        7.10
2         13.914    0.44                          6.64
3          ∞       4.60   1.88300    40.8        6.62
4          ∞       0.08                          5.06
5*         4.956    1.38   1.77250    49.6        4.76
6*       -16.988  (可変)                          4.30
7       -226.219    0.30   1.88300    40.8        2.72
8          3.505    0.36                          2.27
9         -6.204    0.30   1.88300    40.8        2.18
10          3.052    0.06                          1.99
11          3.079    0.71   1.95906    17.5        1.99
12          9.780  (可変)                          1.78
13*         7.865    0.84   1.88300    40.8        1.82
14        -10.490    0.05                          1.87
15(絞り)    ∞     (可変)                          1.86
16          5.679    2.41   1.59522    67.7        3.45
17         -2.384    0.30   1.95906    17.5        3.58
18         -4.022  (可変)                          3.87
19*        -8.827    0.83   1.63550    23.9        3.79
20*        -4.328    0.10                          3.93
21        -22.710    0.30   1.95375    32.3        3.58
22         28.607    0.91                          3.49
23         -2.390    0.30   1.88300    40.8        3.45
24         -3.681  (可変)                          3.83
25          ∞       4.40   2.00330    28.3        6.00
26          ∞       0.10                          6.00
27          ∞       0.23   1.55671    58.6        6.00
28          ∞       0.44                          6.00
像面        ∞   
【００８０】
非球面データ
第5面
K = 0.00000e+000  A 4=-2.05068e-004  A 6=-7.25206e-005  A 8= 1.55674e-005  A10=-8.74239e-007  
第6面
K = 0.00000e+000  A 4= 1.24227e-003  
第13面
K = 0.00000e+000  A 4=-1.42870e-003  A 6=-2.14772e-004  
第19面
K = 0.00000e+000  A 4=-7.14874e-003  
第20面
K = 0.00000e+000  A 4=-6.34068e-003  A 6=-1.44591e-004  
【００８１】
各種データ
ズーム比     2.83 
広角     中間     望遠
焦点距離       4.12     7.20    11.65  
Fナンバー      4.22     4.93     5.29  
半画角（度）   36.04    22.62    14.44  
像高           3.00     3.00     3.00  
レンズ全長    22.72    22.72    22.72  
BF             3.08     4.47     5.57  
d 6            0.20     1.20     2.20  
d12            1.80     0.85     0.20  
d15            2.55     1.07     0.10  
d18            0.52     0.56     0.09  
d24            0.20     1.59     2.69    
入射瞳位置     5.23     6.76     9.10  
射出瞳位置    -5.73    -4.16    -3.14
（像面〜）    -8.81    -8.63    -8.71  
前側主点位置   7.42     7.96     5.16  
後側主点位置  -1.04    -2.73    -6.08  
レンズ群データ
群  始面    焦点距離  レンズ構成長  前側主点位置  後側主点位置
L1    1       5.88         6.79         3.77          0.60
L2    7      -1.99         1.74         0.38         -0.68
L3   13       5.20         0.89         0.19         -0.31
L4   16       5.62         2.71         0.98         -0.87
Ln   19      -8.70         2.44         1.10         -0.69
LR   25       ∞           4.73
単レンズデータ
レンズ  始面  焦点距離
1       1    -15.06
PR1      3      ∞
3       5      5.11
4       7     -3.91
5       9     -2.28
6      11      4.45
7      13      5.20
8      16      3.17
9      17     -6.71
10      19     12.46
11      21    -13.24
12      23     -8.66
PR2     25      ∞
G      27      ∞
【００８２】
（数値データ２）
単位 mm
面データ
面番号       r        d      nd         νd       有効径
1       -141.884    0.40   2.00100    29.1        6.85
2          9.178    0.67                          6.24
3          ∞       5.00   2.10420    17.0        6.17
4          ∞       0.15                          5.22
5*         6.336    1.95   1.58313    59.4        5.22
6*        -8.049  (可変)                          4.90
7*        -9.194    0.50   1.85135    40.1        3.29
8*         6.189    0.40                          2.89
9        -10.262    0.30   1.80400    46.6        2.81
10          5.036    1.20   1.89286    20.4        2.73
11        -73.616  (可変)                          2.55
12*         9.865    0.84   1.49690    81.5        3.34
13        -20.533  (可変)                          3.40
14*         8.426    1.73   1.55352    71.7        4.80
15        -14.197    2.19                          4.89
16         10.977    1.55   1.53775    74.7        4.69
17         -6.394    0.30   1.95906    17.5        4.51
18        -15.512  (可変)                          4.51
19        -19.737    1.45   1.89286    20.4        4.28
20         -4.384    0.40   1.91650    31.6        4.24
21*        22.152  (可変)                          4.22
22          ∞       5.00   1.60311    60.6        7.00
23          ∞       0.30                          7.00
24          ∞       0.30   1.51633    64.1       10.00
25          ∞       0.50                         10.00
像面        ∞   
【００８３】
非球面データ
第5面
K = 0.00000e+000  A 4=-5.17433e-004  A 6= 1.29233e-006  A 8=-8.95246e-008  
第6面
K = 0.00000e+000  A 4= 8.89708e-004  
第7面
K = 0.00000e+000  A 4= 8.09012e-004  
第8面
K = 0.00000e+000  A 4=-8.90468e-004  A 6= 3.96979e-004  A 8=-7.88500e-005  
第12面
K = 0.00000e+000  A 4=-7.32412e-004  
第14面
K = 0.00000e+000  A 4=-2.02876e-004  A 6= 2.09942e-005  A 8=-1.32747e-006  
第21面
K = 0.00000e+000  A 4= 9.63430e-004  A 6= 1.20070e-005  A 8= 3.53904e-006  
【００８４】
各種データ
ズーム比     4.72 
広角     中間     望遠
焦点距離       4.22     9.49    19.90  
Fナンバー      3.60     4.67     6.50  
半画角（度）   35.41    17.54     8.57  
像高           3.00     3.00     3.00  
レンズ全長    35.25    35.25    35.25  
BF             5.70     7.94     9.10  
d 6            0.30     3.03     5.76  
d11            4.43     2.04     0.30  
d13            4.99     1.94     0.15  
d18            0.80     1.25     0.89  
d21            1.58     3.82     4.99    
入射瞳位置     5.02     7.59    11.91  
射出瞳位置   -10.18    -6.44    -4.98
（像面〜）   -15.88   -14.38   -14.08  
前側主点位置   8.12    10.82     3.70  
後側主点位置   1.48    -1.55   -10.80  
レンズ群データ
群  始面    焦点距離  レンズ構成長  前側主点位置  後側主点位置
L1    1       9.20         8.18         5.63          3.32
L2    7      -3.52         2.40         0.20         -1.28
L3   12      13.53         0.84         0.18         -0.38
L4   14       7.52         5.77         1.46         -3.37
Ln   19     -10.63         1.85         0.47         -0.48
LR   22       ∞           5.60
単レンズデータ
レンズ  始面  焦点距離
1       1     -8.60
PR1      3      ∞
3       5      6.40
4       7     -4.28
5       9     -4.17
6      10      5.32
7      12     13.53
8      14      9.82
9      16      7.76
10      17    -11.53
11      19      6.04
12      20     -3.96
PR2     22      ∞
G      24      ∞
【００８５】
（数値データ３）
単位 mm
面データ
面番号       r        d      nd         νd       有効径
1        -16.804    0.50   1.91650    31.6        5.74
2          7.454    0.58                          5.28
3          ∞       4.00   1.88300    40.8        5.28
4          ∞       0.10                          5.23
5*        12.713    2.00   1.67790    54.9        5.22
6*        -7.203  (可変)                          5.00
7         -9.006    0.94   1.80810    22.8        4.49
8         -5.289    0.50   1.67790    54.9        4.34
9*        17.792  (可変)                          4.02
10*         4.649    3.00   1.55332    71.7        5.02
11        -19.721    0.45                          4.40
12         10.178    2.03   1.49700    81.5        4.24
13         -4.701    0.40   2.00100    29.1        3.86
14        -13.415  (可変)                          3.88
15         95.985    0.50   1.88202    37.2        3.64
16*         7.484  (可変)                          3.53
17          ∞       3.80   1.64000    60.1        7.00
18          ∞       0.30                          7.00
19          ∞       0.30   1.51633    64.1       10.00
20          ∞       0.50                         10.00
像面        ∞   
【００８６】
非球面データ
第5面
K = 0.00000e+000  A 4=-5.99398e-005  A 6=-2.15816e-005  A 8= 9.98561e-007  
第6面
K = 0.00000e+000  A 4= 3.14780e-004  A 6=-1.43920e-005  A 8= 6.93055e-007  
第9面
K = 0.00000e+000  A 4=-1.75060e-004  A 6= 2.40092e-005  A 8=-4.11671e-006  A10= 4.39309e-007  
第10面
K = 0.00000e+000  A 4=-7.05290e-004  A 6=-1.63878e-005  A 8=-8.17928e-007  
第16面
K = 0.00000e+000  A 4= 2.62770e-003  A 6= 1.69395e-004  A 8=-8.18585e-006  A10= 4.09982e-006  
【００８７】
各種データ
ズーム比     2.89 
広角     中間     望遠
焦点距離       5.00     8.32    14.45  
Fナンバー      2.88     3.36     4.78  
半画角（度）   30.96    19.82    11.73  
像高           3.00     3.00     3.00  
レンズ全長    32.71    32.71    32.71  
BF             6.41     7.71     8.69    
d 6            0.40     3.93     7.46  
d 9           10.05     5.10     0.15  
d14            0.84     0.96     1.40  
d16            3.09     4.40     5.37    
入射瞳位置     5.16     6.45     6.92  
射出瞳位置    -3.29    -3.33    -3.51
（像面〜）    -9.70   -11.04   -12.20  
前側主点位置   7.58     8.50     4.25  
後側主点位置   1.41    -0.61    -5.76  
レンズ群データ
群  始面    焦点距離  レンズ構成長  前側主点位置  後側主点位置
L1    1      18.01         7.18         9.55         11.43
L2    7      -9.56         1.44         0.17         -0.63
L3   10       6.33         5.89         0.47         -3.52
Ln   15      -9.23         0.50         0.29          0.02
LR   17       ∞           4.40
単レンズデータ
レンズ  始面  焦点距離
1       1     -5.58
PR1      3      ∞
3       5      7.07
4       7     14.25
5       8     -5.96
6      10      7.11
7      12      6.78
8      13     -7.40
9      15     -9.23
PR2     17      ∞
G      19      ∞
【００８８】
（数値データ４）
単位 mm
面データ
面番号       r        d      nd         νd       有効径
1*        63.029    0.40   1.88202    37.2        7.68
2*         6.753    1.20                          6.41
3          ∞       4.50   2.00100    29.1        6.20
4          ∞       0.44                          4.25
5         -5.785    0.60   1.88300    40.8        4.20
6       -152.967    0.81   1.95906    17.5        4.16
7        -11.316  (可変)                          4.13
8(絞り)    ∞       0.00                          4.39
9*         3.873    2.14   1.55332    71.7        4.57
10*       -11.191    0.33                          4.36
11          6.278    0.50   2.00100    29.1        4.01
12          3.312  (可変)                          3.62
13          4.859    2.35   1.48749    70.2        4.06
14         -4.304    0.50   1.88202    37.2        4.10
15*        -6.557  (可変)                          4.26
16*        52.633    0.50   1.67790    54.9        3.92
17*         6.114  (可変)                          3.89
18          ∞       4.60   1.69680    55.5        7.00
19          ∞       0.30                          7.00
20          ∞       0.30   1.51633    64.1       10.00
21          ∞       0.50                         10.00
像面        ∞   
【００８９】
非球面データ
第1面
K = 0.00000e+000  A 4= 1.20841e-003  A 6=-1.06716e-005  A 8=-1.32132e-007  
第2面
K =-6.64581e-001  A 4= 1.41417e-003  A 6= 6.00146e-005  A 8=-4.33303e-007  
第9面
K =-1.19214e+000  A 4= 5.85239e-004  A 6= 6.34395e-006  
第10面
K = 0.00000e+000  A 4= 1.19771e-003  A 6=-2.72563e-005  
第15面
K = 0.00000e+000  A 4= 2.56941e-004  A 6=-5.52138e-006  A 8= 8.10390e-007  
第16面
K = 0.00000e+000  A 4=-7.52203e-004  
第17面
K = 0.00000e+000  A 4=-2.92108e-004  A 6= 2.55726e-005  A 8= 6.21720e-006  
【００９０】
各種データ
ズーム比     3.43 
広角     中間     望遠
焦点距離       3.40     5.86    11.65  
Fナンバー      2.65     3.52     4.94  
半画角（度）   41.42    27.10    14.44  
像高           3.00     3.00     3.00  
レンズ全長    29.68    29.68    29.68  
BF             4.91     7.43     9.77  
d 7            8.78     4.56     0.35  
d12            0.90     2.36     1.70  
d15            0.82     1.06     3.58  
d17            1.21     3.72     6.06    
入射瞳位置     4.72     4.24     3.32  
射出瞳位置    -4.47    -6.11    -5.87
（像面〜）    -9.38   -13.54   -15.64  
前側主点位置   6.89     7.57     6.29  
後側主点位置   1.51     1.57    -1.88  
レンズ群データ
群  始面    焦点距離  レンズ構成長  前側主点位置  後側主点位置
L1    1      -5.15         7.95         1.09         -3.59
L2    8      10.07         2.97        -2.24         -3.35
L3   13       7.38         2.85         0.80         -1.21
Ln   16     -10.25         0.50         0.34          0.04
LR   18       ∞           5.20
単レンズデータ
レンズ  始面  焦点距離
1       1     -8.60
PR1      3      ∞
3       5     -6.82
4       6     12.71
5       9      5.48
6      11     -7.65
7      13      5.11
8      14    -15.86
9      16    -10.25
PR2     18      ∞
G      20      ∞
【００９１】
（数値データ５）
単位 mm
面データ
面番号       r        d      nd         νd       有効径
1         14.499    0.50   1.82115    24.1        6.90
2*         4.594    1.19                          5.88
3          ∞       4.80   1.88300    40.8        5.86
4          ∞       0.10                          5.21
5*        10.583    1.04   1.88202    37.2        5.10
6*        60.813  (可変)                          4.80
7         19.647    0.91   1.95906    17.5        4.46
8        -25.266    0.10                          4.14
9        -15.105    0.50   1.85135    40.1        4.08
10*         7.884  (可変)                          3.70
11*         4.496    1.54   1.77250    49.5        3.37
12         80.959    0.10                          3.14
13          7.149    1.69   1.49700    81.5        3.07
14         -4.596    0.40   2.00272    19.3        2.68
15        -10.831  (可変)                          2.74
16         -3.764    0.50   1.85135    40.1        2.71
17*        -9.659  (可変)                          2.92
18          ∞       4.00   1.77250    49.6        7.00
19          ∞       0.30                          7.00
20          ∞       0.30   1.51633    64.1       10.00
21          ∞       0.50                         10.00
像面        ∞   
【００９２】
非球面データ
第2面
K = 1.17861e-001  A 4= 2.20201e-005  A 6=-1.76916e-005  A 8= 5.11049e-006  A10=-2.95097e-007  
第5面
K = 0.00000e+000  A 4= 1.72611e-004  A 6=-2.45840e-005  A 8= 6.47789e-006  
第6面
K = 0.00000e+000  A 4=-7.08219e-005  A 6=-4.64206e-005  A 8= 7.86798e-006  
第10面
K = 0.00000e+000  A 4=-2.13288e-004  A 6= 5.25819e-005  A 8=-2.44296e-006  A10=-1.33121e-007  
第11面
K = 0.00000e+000  A 4= 1.14626e-004  A 6= 2.41827e-005  A 8=-1.10415e-007  
第17面
K = 0.00000e+000  A 4= 3.34629e-003  A 6= 1.33795e-004  A 8= 6.68680e-005  A10=-1.31387e-005  
各種データ
ズーム比     2.89 
広角     中間     望遠
焦点距離       5.00     9.38    14.45  
Fナンバー      3.52     4.93     6.40  
半画角（度）   30.96    17.74    11.73  
像高           3.00     3.00     3.00  
レンズ全長    27.60    27.60    27.60  
BF             5.58     8.57    11.51  
d 6            0.40     2.18     0.91  
d10            7.08     2.11     0.19  
d15            1.16     1.37     1.62  
d17            2.33     5.31     8.25   
入射瞳位置     6.03     5.51     4.18  
射出瞳位置    -2.78    -2.88    -2.99  
（像面〜）    -8.36   -11.45   -14.50
前側主点位置   8.04     7.20     4.23  
後側主点位置   0.58    -0.81    -2.94
レンズ群データ
群  始面    焦点距離  レンズ構成長  前側主点位置  後側主点位置
L1    1     -50.01         7.63       -12.09        -22.12
L2    7     -13.83         1.51         1.45          0.55
L3   11       4.79         3.73         0.22         -2.14
Ln   16      -7.54         0.50        -0.18         -0.46
LR   18       ∞           4.60         1.38         -1.38
単レンズデータ
レンズ  始面  焦点距離
1       1     -8.38
PR1      3      ∞
3       5     14.39
4       7     11.64
5       9     -6.02
6      11      6.11
7      13      5.91
8      14     -8.23
9      16     -7.54
PR2     18      ∞
G      20      ∞
【００９３】
【表１】
2019053154.tif 000003
【符号の説明】
【００９４】
Ｌ１  第１レンズ群      Ｌ２  第２レンズ群      Ｌ３  第３レンズ群
Ｌ４  第４レンズ群      Ｌ５  第５レンズ群      Ｌｎ  レンズ群
ＬＭ  中間群      ＬＲ  後群      ＰＲ１  第１反射部材
ＰＲ２  第２反射部材
【図１】
2019053154.tif 000004
【図２】
2019053154.tif 000005
【図３】
2019053154.tif 000006
【図４】
2019053154.tif 000007
【図５】
2019053154.tif 000008
【図６】
2019053154.tif 000009
【図７】
2019053154.tif 000010
【図８】
2019053154.tif 000011
【図９】
2019053154.tif 000012
【図１０】
2019053154.tif 000013
【図１１】
2019053154.tif 000014